(57)【要約】【課題】玄関に設置された子機に外部機器が追加接続された場合に、その接続を拒否できるようにする。【解決手段】玄関に設置される子機２と、住戸内に設置され子機からの呼び出しに応答して通話を成立させるための親機１とを備え、子機２及び親機１はそれぞれ３個のインターホン接続入出力端子Ｐ１、Ｐ２、Ｐ３を有し、子機２は、インターホン接続入出力端子に親機以外の外部親機３が接続されたことを検出して親機１に通知するための接続確認信号を生成する子機制御部２７を備え、親機１は、子機２の子機制御部２７からの接続確認信号を受信して子機２への外部親機３の接続を受け付けるのを拒否するための親機制御部１７を備えている。【選択図】図１
2008219133.tif 000002
【特許請求の範囲】
【請求項１】
玄関に設置される子機（２）と、住戸内に設置され前記子機からの呼び出しに応答して通話を成立させるための親機（１）とを備え、
前記子機及び前記親機はそれぞれ少なくとも２個のインターホン接続入出力端子（Ｐ１、Ｐ２、Ｐ３）を有し、
前記子機は、前記インターホン接続入出力端子に前記親機以外の外部親機（３）が接続されたことを検出して前記親機に通知するための接続確認信号を生成する子機制御部（２７）を備え、
前記親機は、前記子機の子機制御部からの接続確認信号を受信して前記子機への前記外部親機の接続を受け付けるのを拒否するための親機制御部（１７）を備えたことを特徴とするインターホンシステム。
【請求項２】
玄関に設置される子機（２）と、住戸内に設置され前記子機からの呼び出しに応答して通話を成立させるための親機（１）とを備え、
前記子機及び前記親機はそれぞれ少なくとも２個のインターホン接続入出力端子（Ｐ１、Ｐ２、Ｐ３）を有し、
前記子機は、前記インターホン接続入出力端子に外部増設親機（４）が接続されたことを検出して前記親機に通知するための接続確認信号を生成する子機制御部（２７）を備え、
前記親機は、前記子機の子機制御部からの接続確認信号を受信して発報表示部（１１、１２）を駆動させ、前記子機への前記外部増設親機の接続を報知すると共に、前記子機への前記外部増設親機の接続の許可及び拒否を検出するための親機制御部（１７）を備えたことを特徴とするインターホンシステム。
【請求項３】
玄関に設置される子機（２）と、住戸内に設置され前記子機からの呼び出しに応答して通話を成立させるための親機（１）及び増設親機（５）とを備え、
前記子機、前記親機及び前記増設親機はそれぞれ少なくとも２個のインターホン接続入出力端子（Ｐ１、Ｐ２、Ｐ３）を有し、
前記子機は、前記インターホン接続入出力端子に外部増設親機（４）が接続されたことを検出して前記親機に通知するための接続確認信号を生成する子機制御部（２７）を備え、
前記親機は、前記子機の子機制御部からの接続確認信号を受信して発報表示部（１１、１２）を駆動させ、前記子機への前記外部増設親機の接続を報知すると共に、前記増設親機に前記接続確認信号を送信する親機制御部（１７）を備え、
前記増設親機は、前記親機制御部からの前記接続確認信号を受信して発報表示部（５１、５２）を駆動させ、前記子機への前記外部増設親機の接続を報知する親機制御部（５７）を備え、
前記親機及び前記増設親機の何れかは、前記親機制御部に前記子機への前記外部増設親機の接続の許可及び拒否を検出するための機能を有することを特徴とするインターホンシステム。
【発明の詳細な説明】
【技術分野】
【０００１】
本発明は、インターホンシステムに係り、特に、玄関に設置された子機に外部親機や外部増設親機を追加接続することができるインターホンシステムに関する。
【背景技術】
【０００２】
従来から、玄関に設置された子機にて来訪者が呼出操作を行って住戸内に設置された親機を呼び出すと共に、子機のカメラで撮像された来訪者の映像を親機のモニタに出画することで、子機及び親機間で通話を行うことが可能になるテレビドアホン装置が知られている（例えば、特許文献１参照。）。
【０００３】
このテレビドアホン装置は、子機及び親機にそれぞれ信号を送受信するための送受信回路が複数設けられている。したがって、図７（Ａ）、（Ｂ）に示すように、例えば子機２００には３個のインターホン接続入出力端子Ｐ１１、Ｐ１２、Ｐ１３が、親機１００は３個のインターホン接続入出力端子Ｐ１１、Ｐ１２、Ｐ１３がそれぞれ設けられ、子機２００のインターホン接続入出力端子Ｐ１３と、親機１００のインターホン接続入出力端子Ｐ１１とが伝送路Ｌ１０によって接続されている。また、親機１００には電気錠３００が接続されている。
【０００４】
このように複数のインターホン接続入出力端子Ｐ１１、Ｐ１２、Ｐ１３を子機２００及び親機１００に備えたテレビドアホン装置において、親機１００の親機制御部（図示せず）は起動時に機器構成を把握するために、インターホン接続入出力端子Ｐ１１、Ｐ１２、Ｐ１３の順に空き端子確認を行っている。
【０００５】
具体的には、親機１００の親機制御部が各端子Ｐ１１、Ｐ１２、Ｐ１３に対して空き端子確認信号を出力し、接続機器があれば、その接続機器が応答信号を返してくるので、親機制御部はその応答信号に基づきその端子に接続機器が接続されていることを判別する。図７（Ａ）の場合、親機１００はインターホン接続入出力端子Ｐ１１に子機２００が接続されているので、子機２００の子機制御部が応答信号を返すことで親機１００の親機制御部はインターホン接続入出力端子Ｐ１１に子機２００が接続されていると判別することができる。したがって、親機１００の親機制御部は記憶部（図示せず）にインターホン接続入出力端子Ｐ１１に子機２００が接続されているとの情報をシステム構成情報として保存する。
【０００６】
また、システム稼動時には一定周期で、接続機器の異変を検知するために接続端子に対してはヘルスチェックを、空き端子に対しては空き端子確認を行っている。具体的には、各端子に対して空き端子確認信号を出力し、接続機器があれば、その接続機器が応答信号を返すので、その接続端子に対してヘルスチェック信号を出力することで接続機器のヘルスチェックを行うことができる。なお、電源断のようにシステムリセットされた場合は、再度、親機１００の親機制御部は機器構成を把握するために空き端子確認を行い、記憶部の構成情報を更新することになる。
【０００７】
このようなテレビドアホン装置において、図７（Ｂ）に示すように、図７（Ａ）のシステムにおける親機１００のインターホン接続入出力端子Ｐ１３に増設親機４００をシステム稼動中に接続すると、親機１００の親機制御部がインターホン接続入出力端子Ｐ１３の空き端子確認で、増設親機４００が接続されシステム構成に変更があったことを検出することができる。また、子機２００のインターホン接続入出力端子Ｐ１１に外部増設親機５００を接続すると、親機１００の親機制御部が子機２００のインターホン接続入出力端子Ｐ１３を除くインターホン接続入出力端子Ｐ１１、Ｐ１２の空き端子確認を行っているので、子機２００のインターホン接続入出力端子Ｐ１１の空き端子確認で、外部増設親機５００が接続されシステム構成に変更があったことを検出することができる。
【０００８】
親機１００の親機制御部は、システム稼動中にシステム構成に変更があると、システムリセットして再度、機器構成を把握するために空き端子確認を行い、記憶部の構成情報を更新することになる。
【０００９】
【特許文献１】特開２００６−２１１３７２号公報
【発明の開示】
【発明が解決しようとする課題】
【００１０】
しかしながら、背景技術において説明したテレビドアホン装置では、悪意ある来訪者が、室外に設置される子機２００の空き端子となっているインターホン接続入出力端子に親機１００と同等の機能を有する親機を接続すると、親機１００の親機制御部はシステム内において親機は１台と認識しているので、システム破綻してしまう難点があった。
【００１１】
また、悪意ある来訪者が、室外に設置される子機２００の空き端子となっているインターホン接続入出力端子に外部増設親機５００を新たに接続すると、電気錠操作、録画操作を行うことができるので、防犯上、問題となり、それら機能を外部増設親機に持たせられなくなる難点があった。
【００１２】
本発明は、このような従来の難点を解決するためになされたもので、玄関に設置された子機に外部親機が追加接続された場合に、その接続を拒否できるインターホンシステムを提供することを目的とする。
【００１３】
また、本発明は、玄関に設置された子機に外部親機や外部増設親機が追加接続された場合に、予め接続権限を有する機器によってのみその接続情報を確認すると共に、その接続の可否情報を検出することができるインターホンシステムを提供することを目的とする。
【課題を解決するための手段】
【００１４】
上述の目的を達成する本発明の第１の態様であるインターホンシステムは、玄関に設置される子機と、住戸内に設置され子機からの呼び出しに応答して通話を成立させるための親機とを備え、子機及び親機はそれぞれ少なくとも２個のインターホン接続入出力端子を有し、子機は、インターホン接続入出力端子に親機以外の外部親機が接続されたことを検出して親機に通知するための接続確認信号を生成する子機制御部を備え、親機は、子機の子機制御部からの接続確認信号を受信して子機への外部親機の接続を受け付けるのを拒否するための親機制御部を備えたものである。
【００１５】
このような第１の態様であるインターホンシステムによれば、悪意ある来訪者が住戸外に設置される子機に外部親機を接続することにより、システム内に親機が２台となったとしても、親機の親機制御部がその接続を拒否するので、システム破綻を防止することができる。
【００１６】
また、上述の目的を達成する本発明の第２の態様であるインターホンシステムは、玄関に設置される子機と、住戸内に設置され子機からの呼び出しに応答して通話を成立させるための親機とを備え、子機及び親機はそれぞれ少なくとも２個のインターホン接続入出力端子を有し、子機は、インターホン接続入出力端子に外部増設親機が接続されたことを検出して親機に通知するための接続確認信号を生成する子機制御部を備え、親機は、子機の子機制御部からの接続確認信号を受信して発報表示部を駆動させ、子機への外部増設親機の接続を報知すると共に、子機への外部増設親機の接続の許可及び拒否を検出するための親機制御部を備えたものである。
【００１７】
このような第２の態様であるインターホンシステムによれば、電気錠操作機能や録画操作機能を有する外部増設親機が住戸外に設置される子機に接続されても、居住者が住戸内の親機で子機に外部増設親機が接続されたことを確認することができるので、外部増設親機を接続した者が悪意ある来訪者の場合には居住者が親機の操作部で接続を拒否することで親機制御部がその拒否情報を検出することができる。したがって、悪意ある来訪者が子機に外部増設親機を接続して電気錠操作や録画操作してしまうことを防止することができる。
【００１８】
また、上述の目的を達成する本発明の第３の態様であるインターホンシステムは、玄関に設置される子機と、住戸内に設置され子機からの呼び出しに応答して通話を成立させるための親機及び増設親機とを備え、子機、親機及び増設親機はそれぞれ少なくとも２個のインターホン接続入出力端子を有し、子機は、インターホン接続入出力端子に外部増設親機が接続されたことを検出して親機に通知するための接続確認信号を生成する子機制御部を備え、親機は、子機の子機制御部からの接続確認信号を受信して発報表示部を駆動させ、子機への外部増設親機の接続を報知すると共に、増設親機に接続確認信号を送信する親機制御部を備え、増設親機は、親機制御部からの接続確認信号を受信して発報表示部を駆動させ、子機への外部増設親機の接続を報知する親機制御部を備え、親機及び増設親機の何れかは、親機制御部に子機への外部増設親機の接続の許可及び拒否を検出するための機能を有するものである。
【００１９】
このような第３の態様であるインターホンシステムによれば、電気錠操作機能や録画操作機能を有する外部増設親機が住戸外に設置される子機に接続されても、居住者が住戸内の親機及び増設親機で子機に外部増設親機が接続されたことを確認することができるので、外部増設親機を接続した者が悪意ある来訪者の場合には居住者が親機又は増設親機の操作部で接続を拒否することで親機及び増設親機の何れかの親機制御部がその拒否情報を検出することができる。したがって、悪意ある来訪者が子機に外部増設親機を接続して電気錠操作や録画操作してしまうことを防止することができる。
【発明の効果】
【００２０】
本発明のインターホンシステムによれば、玄関に設置された子機に外部親機が追加接続された場合に、その接続を拒否できるので、悪意ある来訪者が外部親機を使用してシステム破綻させることを防止できる。
【００２１】
また、本発明のインターホンシステムによれば、玄関に設置された子機に外部親機や外部増設親機が追加接続された場合に、予め接続権限を有する機器によってのみその接続情報を確認すると共に、その接続の可否情報を検出することができるので、悪意ある来訪者が子機に外部増設親機を接続して電気錠操作や録画操作してしまうことを防止することができる。
【発明を実施するための最良の形態】
【００２２】
以下、本発明を実施するための最良の実施形態について、図面を参照して説明する。参照する図１は本発明のインターホンシステムを示す図で、（Ａ）はシステム構成図、（Ｂ）は親機のブロック図、（Ｃ）は子機のブロック図である。
【００２３】
本発明の第１の実施の形態例であるインターホンシステムは図１（Ａ）に示すように、玄関に設置される子機２と、住戸内に設置され子機２からの呼び出しに応答して通話を成立させるための親機１とを備え伝送路Ｌ１によって接続されている。
【００２４】
親機１は図１（Ｂ）に示すように、来訪者と通話するためのマイク及びスピーカを有する音声入出力部１１と、後述する子機２の画像入力部２２が撮像した映像を表示する液晶モニタ等から成る映像表示部１２と、種々の操作を行うためのタッチパネル等から成る操作部１３とを備えている。音声入出力部１１は通話回路である音声処理部１４を介して通信インターフェース（以下、ＩＦと称する。）１５に接続され、映像表示部１２は映像処理回路である映像処理部１６を介して通信ＩＦ１５に接続されている。操作部１３はＣＰＵ等から成る親機制御部１７を介して通信ＩＦ１５に接続されている。この親機制御部１７は音声処理部１４及び映像処理部１６に接続され、これらを制御している。
【００２５】
さらに、親機制御部１７は従来の親機と同様に、ヘルスチェック機能及び空き端子確認機能を有している。また、空き端子確認により得られた機器の構成情報を記憶するための記憶部１８が親機制御部１７に接続されている。ここで、ヘルスチェック機能とは、接続した機器が正常に稼動しているか否かをチェックする機能で、システム稼動時には一定周期で行っている。
【００２６】
また、通信ＩＦ１５は子機３と接続するためのインターホン接続入出力端子を例えば３個有している。この親機用インターホン接続入出力端子Ｐ１、Ｐ２、Ｐ３は、それぞれ通信ＩＦ１５に接続されている。
【００２７】
子機２は図１（Ｃ）に示すように、居住者と通話するためのマイク及びスピーカを有する音声入出力部２１と、玄関の来訪者を撮像するためのカメラである画像入力部２２と、呼び出し等の種々の操作を行うためのタッチパネル等から成る操作部２３とを備えている。音声入出力部２１は通話回路である音声処理部２４を介して通信ＩＦ２５に接続され、画像入力部２２は画像処理回路である画像処理部２６を介して通信ＩＦ２５に接続されている。操作部２３はＣＰＵ等から成る子機制御部２７を介して通信ＩＦ２５に接続されている。この子機制御部２７は音声処理部２４及び画像処理部２６に接続され、これらを制御している。
【００２８】
また、通信ＩＦ２５は親機１と接続するためのインターホン接続入出力端子を例えば３個有している。この子機用インターホン接続入出力端子Ｐ１、Ｐ２、Ｐ３は、それぞれ通信ＩＦ２５に接続されている。
【００２９】
さらに、子機用インターホン接続入出力端子Ｐ３と親機用インターホン接続入出力端子Ｐ１とは伝送路Ｌ１によって接続されている。
【００３０】
このインターホンシステムＩＳ１は、さらに、子機２の子機制御部２７は、子機用インターホン接続入出力端子Ｐ１、Ｐ２、Ｐ３の何れか１個に親機１以外の外部親機３（図１（Ａ））等の何らかの機器が接続されたことを検出して親機１に通知するための接続確認信号を生成する制御機能を有している。なお、子機制御部２７はインターホン接続入出力端子Ｐ１にどのような機器が接続されたかを確認する機能を有していない。ここで、外部親機３は親機１と同等の機器構成で同等の機能を有しているものとする。また、親機１の親機制御部１７は、子機２の子機制御部２７からの接続確認信号を受信して子機２への外部親機３の接続を受け付けるのを拒否する制御機能を有している。
【００３１】
このように構成された第１の実施の形態例であるインターホンシステムＩＳ１の動作について説明する。
【００３２】
来訪者が玄関の子機２の操作部２３で親機１が設置された住戸内の居住者を呼び出すと、操作部２３は子機制御部２７に呼出信号を出力する。子機制御部２７はその呼出信号を通信ＩＦ２５へ出力すると共に、画像入力部２２で撮像した画像の映像信号も通信ＩＦ２５へ出力する。通信ＩＦ２５は呼出信号及び映像信号を多重化して、子機用インターホン接続入出力端子Ｐ３→伝送路Ｌ１を介して親機１に送信する。親機１は多重化された呼出信号及び映像信号を、親機用インターホン接続入出力端子Ｐ１を介して通信ＩＦ１５で受信すると、通信ＩＦ１５は呼出信号及び映像信号を分離して呼出信号を親機制御部１７に出力すると共に映像信号を映像処理部１６に出力する。親機制御部１７は呼出信号に基づき音声処理部１４を介して音声入出力部１１から呼出音を出力させると共に映像処理部１６を駆動させるので、映像処理部１６は映像表示部１２に映像信号の内容を表示させる。
【００３３】
居住者が来訪者を確認すると、その来訪者からの呼び出しに応答するために親機１の操作部１３で通話操作を行うと、操作部１３は親機制御部１７に通話信号を出力する。また、居住者の音声を入力した音声入出力部１１は音声信号を、音声処理部１４を介して通信ＩＦ１５に出力する。親機制御部１７が通話信号を通信ＩＦ１５に出力すると、通信ＩＦ１５は通話信号及び音声信号を多重化して、親機用インターホン接続入出力端子Ｐ１→伝送路Ｌ１を介して子機２に送信する。子機２は多重化された通話信号及び音声信号を、子機用インターホン接続入出力端子Ｐ３を介して通信ＩＦ２５で受信すると、通信ＩＦ２５は通話信号及び音声信号を分離して通話信号を子機制御部２７に出力すると共に音声信号を音声処理部２４に出力する。子機制御部２７は通話信号に基づき音声処理部２４を介して音声入出力部２１から親機１からの音声信号を出力する。
【００３４】
来訪者は居住者に要件を伝えるために、音声入出力部２１で音声を入力すると、その音声信号は音声処理部２４を介して通信ＩＦ２５に入力する。通信ＩＦ２５は音声信号と画像入力部２２で撮像した画像の映像信号とを多重化して、子機用インターホン接続入出力端子Ｐ３→伝送路Ｌ１を介して親機１に送信する。親機１は多重化された音声信号及び映像信号を、親機用インターホン接続入出力端子Ｐ１を介して通信ＩＦ１５で受信すると、通信ＩＦ１５は音声信号及び映像信号を分離して音声信号を音声処理部１４に出力すると共に映像信号を映像処理部１６に出力する。したがって、子機２からの音声及び映像を音声入出力部１１及び映像表示部１２で確認することができるので、親機１と子機２とが通話状態になる。
【００３５】
このようなインターホンシステムＩＳ１の住戸外に設置される子機２の空いている子機用インターホン接続入出力端子、例えばＰ１に悪意ある来訪者が親機１以外の外部親機３を接続した場合について、図２に示す通信シーケンスに基づき説明する。
【００３６】
インターホンシステムＩＳ１は、通常、システム稼動時には図２に示すように、親機１の親機制御部１７はヘルスチェック及び空き端子確認を一定周期で行っている。このようにシステム稼動時のインターホンシステムＩＳ１において、悪意ある来訪者が子機２の子機用インターホン接続入出力端子Ｐ１に外部親機３を接続すると、子機２の子機制御部２７は親機１の親機制御部１７によるインターホン接続入出力端子Ｐ１の空き端子確認で、システムに機器が追加されようとしていることを検出する。子機２の子機制御部２７は、子機用インターホン接続入出力端子Ｐ１に何らかの機器が接続されたことを検出して親機１に通知するための接続確認信号を生成してヘルスチェック応答として通信ＩＦ２５に出力する。通信ＩＦ２５は接続確認信号を子機用インターホン接続入出力端子Ｐ３→伝送路Ｌ１を介して親機１に送信する。なお、子機２はインターホン接続入出力端子Ｐ１にどのような機器が接続されたかを確認する機能を有していない。
【００３７】
親機１は接続確認信号を親機用インターホン接続入出力端子Ｐ１を介して通信ＩＦ１５で受信すると、通信ＩＦ１５はその接続確認信号を親機制御部１７に出力する。親機制御部１７は、接続確認信号を検出すると、通信ＩＦ１５に外部親機３に対するヘルスチェック信号のみを出力する。通信ＩＦ１５はヘルスチェック信号を、親機用インターホン接続入出力端子Ｐ１→伝送路Ｌ１を介して子機２に送信する。子機２はヘルスチェック信号を、子機用インターホン接続入出力端子Ｐ３を介して通信ＩＦ２５で受信すると、通信ＩＦ２５はヘルスチェック信号を子機制御部２７に出力する。子機制御部２７はヘルスチェック信号に基づき外部親機３のへルスチェックを行い、へルスチェック結果を親機１に送信する。
【００３８】
親機制御部１７はヘルスチェックの結果、接続機器が許可されていない外部親機３であることを検出すると、子機用インターホン接続入出力端子Ｐ１に対して、へルスチェック以外の外部親機３との通信を遮断する。また、子機制御部２７は外部親機３とのへルスチェック以外の通信を遮断したことにより親機１にヘルスチェック応答のみを送信するので、親機１の親機制御部１７は記憶部１８の構成情報を更新して、親機１及び子機２から構成されたインターホンシステムに、接続不可能な機器が追加されていると認識することになる。
【００３９】
また、接続機器である外部親機３が取り外されると、子機制御部２７は親機１に外部親機３とのへルスチェックに関する信号を送信できなくなるので、親機１の親機制御部１７は記憶部１８の構成情報を更新して親機１及び子機２から構成されたインターホンシステムと認識し、通常のシーケンスに戻ることになる。
【００４０】
したがって、悪意ある来訪者が住戸外に設置される子機２に外部親機３を接続することにより、システム内に親機が２台となったとしても、親機１の親機制御部１７がヘルスチェックによりその接続を拒否するので、システム破綻を防止することができる。
【００４１】
なお、上述した実施例においては、外部機器が住戸外に設置された子機に接続されると、親機の親機制御部自体が子機への外部機器の接続を受け付けるのを拒否するインターホンシステムであったが、これに限らず、居住者が子機への外部機器の接続の許可及び拒否を選択できるインターホンシステムでもよい。
【００４２】
このような本発明の第２の実施の形態例であるインターホンシステムは上述した図１（Ａ）、（Ｂ）、（Ｃ）に示すインターホンシステムＩＳ１と同様の構成なので、同一の構成要素には同一の参照番号を付すことで詳細説明は省略する。
【００４３】
このインターホンシステムＩＳ２は例えば図３（Ａ）に示すように、玄関に設置される子機２と、住戸内に設置され子機２からの呼び出しに応答して通話を成立させるための親機１とを備え伝送路Ｌ１によって接続され、さらに、親機１には電気錠６が接続されている。
【００４４】
親機１は図４に示すように、音声入出力部１１、映像表示部１２、操作部１３、音声処理部１４、通信ＩＦ１５、映像処理部１６、親機制御部１７及び記憶部１８を備え、さらに、親機制御部１７に電気錠ＩＦ１９が接続され、電気錠ＩＦ１９に電気錠６を接続するための電気錠接続端子Ｐ４が接続されている。子機２は図１（Ｃ）に示すものを使用する。
【００４５】
このようなインターホンシステムＩＳ２の子機２の子機制御部２７はインターホンシステムＩＳ１とは異なり、子機用インターホン接続入出力端子Ｐ１、Ｐ２、Ｐ３の何れか１個に外部増設親機４等の何らかの機器が接続されたことを検出して親機１に通知するための接続確認信号を生成する制御機能を有している。子機制御部２７はインターホン接続入出力端子Ｐ１にどのような機器が接続されたかを確認する機能を有していない。また、インターホンシステムＩＳ２の親機１の親機制御部１７はインターホンシステムＩＳ１とは異なり、子機２の子機制御部２７からの接続確認信号を受信して発報表示部となる音声入出力部１１及び映像表示部１２を駆動させ、子機２への外部増設親機４の接続を報知すると共に、子機２への外部増設親機４の接続の許可及び拒否を検出する制御機能を有している。この外部増設親機４は、親機１の電気錠操作機能や録画操作機能を有している。
【００４６】
このように構成された第２の実施の形態例であるインターホンシステムＩＳ２の動作について説明する。なお、子機２及び親機１間の呼出動作、通話動作はインターホンシステムＩＳ１と同様なので説明を省略するが、親機１の親機制御部１７は、子機１から受信した映像信号及び音声信号を記憶部１８に出力することで録画、録音を行っている。
【００４７】
この録画、録音データを親機１で再生するために、居住者が親機１の操作部１３で再生操作を行うと、操作部１３から再生要求信号が親機制御部１７に出力されるので、親機制御部１７は記憶部１８に格納されている録画、録音データを取り出して通信ＩＦ１５に録画信号及び録音信号を出力する。したがって、通信ＩＦ１５は録画信号を映像処理部１６を介して映像表示部１２に表示させ、録音信号を音声処理部１４を介して音声入出力部１１から出力させることができる。
【００４８】
また、居住者が来訪者を住戸内に招き入れるために、親機１の操作部１３で電気錠解錠操作を行うと、操作部１３から解錠信号が親機制御部１７に出力されるので、親機制御部１７は電気錠ＩＦ１９を介して電気錠６を解錠することができる。
【００４９】
このようなインターホンシステムＩＳ２の住戸外に設置される子機２の空いている子機用インターホン接続入出力端子、例えばＰ１に外部増設親機４を接続した場合について、図５に示す通信シーケンスに基づき説明する。
【００５０】
このインターホンシステムＩＳ２は上述したインターホンシステムＩＳ１と同様の制御機能を有しており、通常、システム稼動時には図５に示すように、親機１の親機制御部１７はヘルスチェック及び空き端子確認を一定周期で行っている。このようにシステム稼動時のインターホンシステムＩＳ２において、子機２の子機用インターホン接続入出力端子Ｐ１に外部増設親機４を接続すると、子機２の子機制御部２７は親機１の親機制御部１７によるインターホン接続入出力端子Ｐ１の空き端子確認で、システムに機器が追加されようとしていることを検出する。子機２の子機制御部２７は、子機用インターホン接続入出力端子Ｐ１に何らかの機器が接続されたことを検出して親機１に通知するための接続確認信号を生成してヘルスチェック応答として通信ＩＦ２５に出力する。通信ＩＦ２５は接続確認信号を子機用インターホン接続入出力端子Ｐ３→伝送路Ｌ１を介して親機１に送信する。なお、子機２はインターホン接続入出力端子Ｐ１にどのような機器が接続されたかを確認する機能を有していない。
【００５１】
親機１は接続確認信号を親機用インターホン接続入出力端子Ｐ１を介して通信ＩＦ１５で受信すると、通信ＩＦ１５はその接続確認信号を親機制御部１７に出力する。親機制御部１７は、接続確認信号を検出すると、子機用インターホン接続入出力端子Ｐ１に外部増設親機４が接続されたことを検出して音声処理部１４及び映像処理部１６の何れか一方または両方を駆動させて子機２に外部増設親機４の接続があったことを、音声入出力部１１で出力したり映像表示部１２に表示したりすることができる。
【００５２】
居住者は子機２に外部増設親機４の接続があったことを確認後、親機１の操作部１３で接続許可操作を行うと、操作部１３から接続許可信号が親機制御部１７に出力されるので、親機制御部１７は記憶部１８に記憶されているシステムの構成情報を更新するためにシステムリセットを実行する。即ち、親機制御部１７は機器構成を把握するために空き端子確認を行うので、記憶部１８の構成情報を更新して親機１、子機２及び外部増設親機４から構成されたインターホンシステムと認識することになる。
【００５３】
また、第２の実施例で、例えばＰ１に悪意ある来訪者が外部増設親機４を接続した場合について、通信シーケンスに基づき説明する。
【００５４】
このインターホンシステムＩＳ２は上述したインターホンシステムＩＳ１と同様の制御機能を有しており、通常、システム稼動時には図５に示すように、親機１の親機制御部１７はヘルスチェック及び空き端子確認を一定周期で行っている。このようにシステム稼動時のインターホンシステムＩＳ２において、悪意ある来訪者が子機２の子機用インターホン接続入出力端子Ｐ１に外部増設親機４を接続すると、子機２の子機制御部２７は親機１の親機制御部１７によるインターホン接続入出力端子Ｐ１の空き端子確認で、システムに機器が追加されようとしていることを検出する。子機２の子機制御部２７は、子機用インターホン接続入出力端子Ｐ１に何らかの機器が接続されたことを検出して親機１に通知するための接続確認信号を生成してヘルスチェック応答として通信ＩＦ２５に出力する。通信ＩＦ２５は接続確認信号を子機用インターホン接続入出力端子Ｐ３→伝送路Ｌ１を介して親機１に送信する。なお、子機２はインターホン接続入出力端子Ｐ１にどのような機器が接続されたかを確認する機能を有していない。
【００５５】
親機１は接続確認信号を親機用インターホン接続入出力端子Ｐ１を介して通信ＩＦ１５で受信すると、通信ＩＦ１５はその接続確認信号を親機制御部１７に出力する。親機制御部１７は、接続確認信号を検出すると、子機用インターホン接続入出力端子Ｐ１に外部増設親機４が接続されたことを検出して音声処理部１４及び映像処理部１６の何れか一方または両方を駆動させて子機２に外部増設親機４の接続があったことを、音声入出力部１１で出力したり映像表示部１２に表示したりすることができる。
【００５６】
居住者が親機１の操作部１３で接続拒否操作を行うと、操作部１３から接続拒否信号が親機制御部１７に出力されるので、親機制御部１７は通信ＩＦ１５に接続拒否信号を出力する。通信ＩＦ１５は接続拒否信号を、親機用インターホン接続入出力端子Ｐ１→伝送路Ｌ１を介して子機２に送信する。子機２は接続拒否信号を、子機用インターホン接続入出力端子Ｐ３を介して通信ＩＦ２５で受信すると、通信ＩＦ２５は接続拒否信号を子機制御部２７に出力する。子機制御部２７は接続拒否信号を入力すると、外部増設親機４とのへルスチェック以外の通信を遮断する。また、子機制御部２７は外部増設親機４とのへルスチェック以外の通信を遮断したことにより、親機１の親機制御部１７は記憶部１８の構成情報を更新して親機１及び子機２から構成されたインターホンシステムに、接続不可能な機器が追加されていると認識することになる。
【００５７】
また、接続機器である外部増設親機４が取り外されると、子機制御部２７は親機１に外部増設親機４とのへルスチェックに関する信号を送信できなくなるので、親機１の親機制御部１７は記憶部１８の構成情報を更新して親機１及び子機２から構成されたインターホンシステムと認識し、通常のシーケンスに戻ることになる。
【００５８】
このように、電気錠操作機能や録画操作機能を有する外部増設親機４が住戸外に設置される子機２に接続されても、居住者が住戸内の親機１で子機２に外部増設親機４が接続されたことを確認することができるので、外部増設親機４を接続した者が悪意ある来訪者の場合には居住者が親機１の操作部１３で接続を拒否することで親機制御部１７がその拒否情報を検出することができる。したがって、悪意ある来訪者が子機２に外部増設親機４を接続して電気錠操作や録画操作してしまうことを防止することができ、また、子機２に居住者が許可する外部増設親機に電気錠操作機能や録画操作機能を持たせることができるようになる。
【００５９】
なお、上述したインターホンシステムＩＳ２にいては、住戸内には親機１だけが設置されていたが、これに限らず、図３（Ｂ）に示すように、親機１に伝送路Ｌ２によって増設親機５が接続されていてもよい。この本発明の第３の実施の形態例であるインターホンシステムＩＳ３は、インターホンシステムＩＳ２に増設親機５が追加されたもので、増設親機５によっても子機２からの呼び出しを確認できると共に子機２と通話を行うことができる。
【００６０】
この増設親機５は図６に示すように、来訪者と通話するためのマイク及びスピーカを有する音声入出力部５１と、子機２の画像入力部２２が撮像した映像を表示する液晶モニタ等から成る映像表示部５２と、種々の操作を行うためのタッチパネル等から成る操作部５３とを備えている。音声入出力部５１は通話回路である音声処理部５４を介して通信ＩＦ５５に接続され、映像表示部５２は映像処理回路である映像処理部５６を介して通信ＩＦ５５に接続されている。操作部５３はＣＰＵ等から成る増設親機制御部５７を介して通信ＩＦ５５に接続されている。この増設親機制御部５７は音声処理部５４及び映像処理部５６に接続され、これらを制御している。また、通信ＩＦ５５は親機１と接続するためのインターホン接続入出力端子を例えば３個有している。この増設親機用インターホン接続入出力端子Ｐ１、Ｐ２、Ｐ３は、それぞれ通信ＩＦ５５に接続されている。
【００６１】
さらに、増設親機用インターホン接続入出力端子Ｐ１と親機用インターホン接続入出力端子Ｐ３とは伝送路Ｌ２によって接続されている（図３（Ｂ））。
【００６２】
このようなインターホンシステムＩＳ３の親機１の親機制御部１７はインターホンシステムＩＳ２の親機１の親機制御部１７とは異なり、子機２の子機制御部２７からの接続確認信号を受信して発報表示部となる音声入出力部１１及び映像表示部１２を駆動させ、子機２への外部増設親機４の接続を報知すると共に、増設親機５に子機２の子機制御部２７からの接続確認信号を送信する制御機能を有している。
【００６３】
また、インターホンシステムＩＳ３の増設親機５の増設親機制御部５７は、親機１の親機制御部１７からの接続確認信号を受信して発報表示部となる音声入出力部５１及び映像表示部５２を駆動させ、子機２への外部増設親機４の接続を報知すると共に、子機２への外部増設親機４の接続の許可及び拒否を検出する制御機能を有している。
【００６４】
なお、インターホンシステムＩＳ３の子機２の子機制御部２７はインターホンシステムＩＳ２と同様の制御機能なので説明を省略する。
【００６５】
このような第３の実施の形態例であるインターホンシステムＩＳ３の住戸外に設置される子機２の空いている子機用インターホン接続入出力端子、例えばＰ１に外部増設親機４を接続した場合について、図５に示すフローチャートに基づき説明する。なお、増設親機５の制御機能は親機１の制御機能とほぼ同様なので、図示を省略している。
【００６６】
このインターホンシステムＩＳ３は上述したインターホンシステムＩＳ１、ＩＳ２と同様の制御機能を有しており、通常、システム稼動時には図５に示すように、親機１の親機制御部１７はヘルスチェック及び空き端子確認を一定周期で行っている。このようにシステム稼動時のインターホンシステムＩＳ２において、子機２の子機用インターホン接続入出力端子Ｐ１に外部増設親機４を接続すると、子機２の子機制御部２７は親機１の親機制御部１７によるインターホン接続入出力端子Ｐ１の空き端子確認で、システムに機器が追加されようとしていることを検出する。子機２の子機制御部２７は、子機用インターホン接続入出力端子Ｐ１に何らかの機器が接続されたことを検出して親機１に通知するための接続確認信号を生成してヘルスチェック応答として通信ＩＦ２５に出力する。通信ＩＦ２５は接続確認信号を子機用インターホン接続入出力端子Ｐ３→伝送路Ｌ１を介して親機１に送信する。なお、子機２はインターホン接続入出力端子Ｐ１にどのような機器が接続されたかを確認する機能を有していない。
【００６７】
親機１は接続確認信号を親機用インターホン接続入出力端子Ｐ１を介して通信ＩＦ１５で受信すると、通信ＩＦ１５はその接続確認信号を親機制御部１７に出力する。親機制御部１７は、接続確認信号を検出すると、子機用インターホン接続入出力端子Ｐ１に外部増設親機４が接続されたことを検出して音声処理部１４及び映像処理部１６の何れか一方または両方を駆動させて子機２に外部増設親機４の接続があったことを、音声入出力部１１で出力したり映像表示部１２に表示したりすることができる。また、親機制御部１７は、接続確認信号を増設親機５に送信するために通信ＩＦ１５に出力する。通信ＩＦ１５は接続確認信号を親機用インターホン接続入出力端子Ｐ３→伝送路Ｌ２を介して増設親機５に送信する。
【００６８】
増設親機５は接続確認信号を増設親機用インターホン接続入出力端子Ｐ１を介して通信ＩＦ５５で受信すると、通信ＩＦ５５はその接続確認信号を増設親機制御部５７に出力する。親機制御部５７は、接続確認信号を検出すると、音声処理部５４及び映像処理部５６の何れか一方または両方を駆動させて子機２に外部増設親機４の接続があったことを、音声入出力部５１で出力したり映像表示部５２に表示したりすることができる。
【００６９】
居住者は増設親機５で子機２に外部増設親機４の接続があったことを確認後、増設親機５の操作部５３で接続許可操作を行うと、操作部５３から接続許可信号が増設親機制御部５７に出力されるので、増設親機制御部５７は親機１の記憶部１８に記憶されているシステムの構成情報を更新するためのシステムリセット信号を親機１に送信するために通信ＩＦ５５に出力する。通信ＩＦ５５はシステムリセット信号を増設親機用インターホン接続入出力端子Ｐ１→伝送路Ｌ２を介して親機１に送信する。
【００７０】
親機１はシステムリセット信号を親機用インターホン接続入出力端子Ｐ３を介して通信ＩＦ１５で受信すると、通信ＩＦ１５はそのシステムリセット信号を親機制御部１７に出力する。親機制御部１７はこのシステムリセット信号に基づき記憶部１８に記憶されているシステムの構成情報を更新するためにシステムリセットを実行する。即ち、親機制御部１７は機器構成を把握するために空き端子確認を行うので、記憶部１８の構成情報を更新して親機１、子機２及び外部増設親機４から構成されたインターホンシステムと認識することになる。
【００７１】
また、第２の実施例で、例えばＰ１に悪意ある来訪者が外部増設親機４を接続した場合について、通信シーケンスに基づき説明する。
【００７２】
このインターホンシステムＩＳ２は上述したインターホンシステムＩＳ１と同様の制御機能を有しており、通常、システム稼動時には図５に示すように、親機１の親機制御部１７はヘルスチェック及び空き端子確認を一定周期で行っている。このようにシステム稼動時のインターホンシステムＩＳ２において、悪意ある来訪者が子機２の子機用インターホン接続入出力端子Ｐ１に外部増設親機４を接続すると、子機２の子機制御部２７は親機１の親機制御部１７によるインターホン接続入出力端子Ｐ１の空き端子確認で、システムに機器が追加されようとしていることを検出する。子機２の子機制御部２７は、子機用インターホン接続入出力端子Ｐ１に何らかの機器が接続されたことを検出して親機１に通知するための接続確認信号を生成してヘルスチェック応答として通信ＩＦ２５に出力する。通信ＩＦ２５は接続確認信号を子機用インターホン接続入出力端子Ｐ３→伝送路Ｌ１を介して親機１に送信する。なお、子機２はインターホン接続入出力端子Ｐ１にどのような機器が接続されたかを確認する機能を有していない。
【００７３】
親機１は接続確認信号を親機用インターホン接続入出力端子Ｐ１を介して通信ＩＦ１５で受信すると、通信ＩＦ１５はその接続確認信号を親機制御部１７に出力する。親機制御部１７は、接続確認信号を検出すると、子機用インターホン接続入出力端子Ｐ１に外部増設親機４が接続されたことを検出して音声処理部１４及び映像処理部１６の何れか一方または両方を駆動させて子機２に外部増設親機４の接続があったことを、音声入出力部１１で出力したり映像表示部１２に表示したりすることができる。また、親機制御部１７は、接続確認信号を増設親機５に送信するために通信ＩＦ１５に出力する。通信ＩＦ１５は接続確認信号を親機用インターホン接続入出力端子Ｐ３→伝送路Ｌ２を介して増設親機５に送信する。
【００７４】
増設親機５は接続確認信号を増設親機用インターホン接続入出力端子Ｐ１を介して通信ＩＦ５５で受信すると、通信ＩＦ５５はその接続確認信号を増設親機制御部５７に出力する。親機制御部５７は、接続確認信号を検出すると、音声処理部５４及び映像処理部５６の何れか一方または両方を駆動させて子機２に外部増設親機４の接続があったことを、音声入出力部５１で出力したり映像表示部５２に表示したりすることができる。
【００７５】
居住者が増設親機５の操作部５３で接続拒否操作を行うと、操作部５３から接続拒否信号が増設親機制御部５７に出力されるので、増設親機制御部５７は通信ＩＦ５５に接続拒否信号を出力する。通信ＩＦ５５は接続拒否信号を増設親機用インターホン接続入出力端子Ｐ１→伝送路Ｌ２を介して親機１に送信する。
【００７６】
親機１は接続拒否信号を親機用インターホン接続入出力端子Ｐ３を介して通信ＩＦ１５で受信すると、通信ＩＦ１５は接続拒否信号を、親機用インターホン接続入出力端子Ｐ１→伝送路Ｌ１を介して子機２に送信する。子機２は接続拒否信号を、子機用インターホン接続入出力端子Ｐ３を介して通信ＩＦ２５で受信すると、通信ＩＦ２５は接続拒否信号を子機制御部２７に出力する。子機制御部２７は接続拒否信号を入力すると、外部増設親機４とのへルスチェック以外の通信を遮断する。また、子機制御部２７は外部増設親機４とのへルスチェック以外の通信を遮断したことにより、親機１の親機制御部１７は記憶部１８の構成情報を更新して親機１及び子機２から構成されたインターホンシステムに、接続不可能な機器が追加されていると認識することになる。
【００７７】
また、接続機器である外部増設親機４が取り外されると、子機制御部２７は親機１に外部増設親機４とのへルスチェックに関する信号を送信できなくなるので、親機１の親機制御部１７は記憶部１８の構成情報を更新して親機１及び子機２から構成されたインターホンシステムと認識し、通常のシーケンスに戻ることになる。
【００７８】
このように、電気錠操作機能や録画操作機能を有する外部増設親機４が住戸外に設置される子機２に接続されても、居住者が住戸内の親機１で子機２に外部増設親機４が接続されたことを確認することができるので、外部増設親機４を接続した者が悪意ある来訪者の場合には居住者が増設親機５の操作部５３で接続を拒否することで親機１の親機制御部１７がその拒否情報を検出することができる。したがって、悪意ある来訪者が子機２に外部増設親機４を接続して電気錠操作や録画操作してしまうことを防止することができる。
【００７９】
なお、このインターホンシステムＩＳ３は、増設親機５の増設親機制御部５７に子機２への外部増設親機４の接続の許可及び拒否を検出するための制御機能をもたせていたが、これに限らず、インターホンシステムＩＳ２と同様に、親機１の親機制御部１７に子機２への外部増設親機４の接続の許可及び拒否を検出するための制御機能をもたせるようにしてもよく、この場合にはインターホンシステムＩＳ２の親機１の親機制御部１７と同様の作用、効果を得ることができる。
【００８０】
また、上述した各実施例においては、各機器のインターホン接続入出力端子は３個にしていたが、これに限らず、システムの規模に応じて個数を変更してもよい。
【００８１】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００８２】
【図１】本発明のインターホンシステムによる最良な実施の形態を示す図で、（Ａ）はシステム構成図、（Ｂ）は親機のブロック図、（Ｃ）は子機のブロック図である。
【図２】本発明の第１の実施の形態例であるインターホンシステムの通信状態を示す通信シーケンス図である。
【図３】本発明のインターホンシステムによる最良な他の実施の形態を示す図で、（Ａ）は第２の実施の形態例であるインターホンシステムを示すシステム構成図、（Ｂ）は第３の実施の形態例であるインターホンシステムを示すシステム構成図である。
【図４】本発明の第２、第３の実施の形態例であるインターホンシステムに使用される親機を示すブロック図である。
【図５】本発明の第２、第３の実施の形態例であるインターホンシステムの通信状態を示す通信シーケンス図である。
【図６】本発明の第３の実施の形態例であるインターホンシステムに使用される増設親機を示すブロック図である。
【図７】（Ａ）、（Ｂ）は従来のインターホンシステムを示すブロック図である。
【符号の説明】
【００８３】
ＩＳ１、ＩＳ２、ＩＳ３……インターホンシステム
１……親機
１１……音声入出力部（発報表示部）
１２……画像表示部（発報表示部）
１７……親機制御部
２……子機
２７……子機制御部
Ｐ１、Ｐ２、Ｐ３……インターホン接続入出力端子
３……外部親機
４……外部増設親機
５……増設親機
５１……音声入出力部（発報表示部）
５２……画像表示部（発報表示部）
５７……増設親機制御部
【図１】
2008219133.tif 000003
【図２】
2008219133.tif 000004
【図３】
2008219133.tif 000005
【図４】
2008219133.tif 000006
【図５】
2008219133.tif 000007
【図６】
2008219133.tif 000008
【図７】
2008219133.tif 000009